(57)【要約】【課題】  本発明は、再生ＲＦ信号が劣化するような場合にも、従来より高速かつ正確に信号品質を確認することのできる光ディスク用信号処理装置を提供する。【解決手段】  光ディスク１０１から読み出したＲＦ信号について、短記録マーク検出部１１５がＲＦ信号中の短記録マークを検出し、短記録マーク計数部１１６が短記録マーク検出数を計数し、エラー数計数部１１０がＲＦ信号に対する誤り訂正処理において発生するエラー数を計数し、エラー数変換部１１１が、当該エラー数を短記録マーク相当数に変換し、信号品質判定部１１２が、短記録マーク検出数と短記録マーク相当数との総和に基づき信号品質を判定する。【選択図】図１
2007066421.tif 000002
【特許請求の範囲】
【請求項１】
同心円またはスパイラル状に記録トラックを形成した光ディスクにデータを記録再生する光ディスク用信号処理装置であって、
前記光ディスクから得られた反射光に基づくＲＦ信号から、前記光ディスク上に書かれた記録マークのうち記録した最短マーク長よりもさらにマーク長が短い信号である短記録マークを検出する短記録マーク検出手段と、
前記短記録マーク検出手段において検出された短記録マークの個数である短記録マーク計数値を計数する短記録マーク計数手段と、
前記ＲＦ信号を２値化するＲＦ信号２値化手段と、
２値化された前記信号のエラー訂正を行うエラー訂正手段と、
前記エラー訂正手段において検出されたエラー数を計数するエラー数計数手段と、
前記エラー数をその信号品質相当の短記録マーク計数値に変換しエラー数変換値を求めるエラー数変換手段と、
前記エラー数変換値と前記短記録マーク計数値との総和より前記光ディスク上に記録された品質を判定する信号品質判定手段と
を備えることを特徴とする光ディスク用信号処理装置。
【請求項２】
前記光ディスク用信号処理装置は、
ドライブコントロール手段からの指示により、前記光ディスクの線速度に応じて、前記エラー数変換手段における前記エラー数変換値への変換係数又はオフセット値と、前記信号品質判定手段における判定レベルとを切り替える速度対応切替手段
を備えることを特徴とする請求項１記載の光ディスク用信号処理装置。
【請求項３】
前記光ディスク用信号処理装置は、
前記短記録マーク計数値に係数を乗算し又はオフセットを加算することにより前記短記録マーク計数値を補正することにより補正エラー数値を求める短記録マーク数補正手段と、
前記エラー数計数手段で計数されたエラー数を補正エラー数値に変換するエラー数変換手段と、
前記エラー数変換手段からの前記補正エラー数値と、前記短記録マーク補正手段からの前記補正エラー数値との総和より前記光ディスク上に記録された品質を判定する信号品質判定手段と
を備えることを特徴とする請求項１記載の光ディスク用信号処理装置。
【請求項４】
前記光ディスク用信号処理装置は、
ドライブコントロール手段からの指示により、前記光ディスクの線速度に応じて、前記エラー数変換手段における前記エラー数変換値の変換係数又はオフセット値と、前記短記録マーク補正手段における前記短記録マーク補正計数値の補正係数又はオフセット値と、前記信号品質判定手段における判定レベルとを切り替える速度対応切替手段と
を備えることを特徴とする請求項３記載の光ディスク用信号処理装置。
【請求項５】
前記光ディスク用信号処理装置は、
前記短記録マーク計数手段で得られる前記短記録マーク計数値のレベルを判別する短記録マークレベル判別手段と、
前記短記録マークレベル判別手段でレベル分けされた前記短記録マーク計数値のレベル毎に係数又はオフセット値を変えて前記短記録マーク計数値を補正し補正エラー数値を求める短記録マーク数補正手段と
を備えることを特徴とする請求項３又は請求項４に記載の光ディスク用信号処理装置。
【請求項６】
前記光ディスク用信号処理装置は、
前記光ディスクの線速度に応じて、前記エラー数変換手段における前記エラー数変換値の変換係数又はオフセット値と、前記短記録マークレベル判別手段の判定レベルと、前記短記録マーク数補正手段における前記短記録マーク補正計数値の補正係数又はオフセット値と、前記信号品質判定手段における判定レベルとを切り替える速度対応切替手段
を備えることを特徴とする請求項５に記載の光ディスク用信号処理装置。
【請求項７】
前記光ディスク用信号処理装置は、短記録マーク数補正手段に替えて、
前記短記録マークレベル判別手段でレベル分けされた前記短記録マーク計数値のレベル毎に前記短記録マーク計数値を固定値に置換する短記録マーク置換手段を
備えることを特徴とする請求項５に記載の光ディスク用信号処理装置。
【請求項８】
光ディスク用信号処理装置は、
ドライブコントロール手段からの指示により前記光ディスクの速度に応じて、前記エラー数変換手段における前記エラー数変換値の変換係数やオフセット値と、前記短記録マークレベル判別手段の判定レベルと、前記短記録マーク置換手段における前記固定値と、前記信号品質判定手段における判定レベルとを切り替える速度対応切替手段
を備えることを特徴とする請求項７に記載の光ディスク用信号処理装置
【請求項９】
前記光ディスク用信号処理装置は、
事前に計測した隣接するセクタでの前記短記録マーク計数手段の計数値を保存するメモリ手段と、
あるセクタでの短記録マーク計数値と前記メモリ手段に保存されていた隣接するセクタでの短記録マーク計数値と比較し、共にあるレベルより大きい場合かどうかを判断する隣接セクタ比較手段と、
前記隣接セクタ比較手段による判断結果に応じて前記セクタとその隣接するセクタでの短記録マーク計数値を補正し、短記録マーク補正計数値を求める短記録マーク数補正手段と
を備えることを特徴とする請求項１乃至８のいずれかに記載の光ディスク用信号処理装置。
【請求項１０】
前記光ディスク用信号処理装置は、
前記光ディスクの線速度に応じて、低倍速時はＲＦ信号レベルスライス手段とエラー訂正手段とエラー数計数手段を用い、高倍速時は請求項１乃至９のいずれかに記載の手段を用いて信号品質を判定する速度対応切替手段
を備えることを特徴とする請求項１乃至９のいずれかに記載の光ディスク用信号処理装置。
【請求項１１】
前記光ディスク用信号処理装置は、
ＲＦ信号の有無を検出できるＲＦ信号エンベロープ検出手段と、
前記ＲＦ信号エンベロープ検出手段からの出力に応じてＲＦ信号が欠落しているときは短記録マークを検出しないよう前記短記録マーク検出手段に入力する信号をマスクする信号マスク手段と
を備えることを特徴とする請求項１乃至１０のいずれかに記載の光ディスク用信号処理装置。
【請求項１２】
前記光ディスク用信号処理装置は、
ＰＲＭＬを行うための波形等化フィルタ手段とビタビ復号手段と、
事前に信号品質検査用のフィルタ係数を保存してあるフィルタ係数メモリ手段と、
信号品質検査やベリファイを行うときは前記フィルタ係数メモリ手段のフィルタ係数を前記波形等化フィルタに設定するフィルタ係数切替手段と
を備えることを特徴とする請求項１乃至１１のいずれかに記載の光ディスク用信号処理装置。
【請求項１３】
同心円またはスパイラル状に記録トラックを形成した光ディスクに記録再生する装置であって、
前記光ディスクから得られた反射光に基づくＲＦ信号を２値化するＲＦ信号２値化手段と、
２値化された前記信号のエラー訂正を行うエラー訂正手段と、
前記エラー訂正手段においてエラー訂正できなかった信号の数であるエラー数を計数するエラー数計数手段と、
前期再生信号処理手段からの出力をＰＲＭＬ処理を行う波形等化フィルタ手段とビタビ復号手段と、
前記エラー数計数手段の出力または前記ビタビ復号手段の出力から信号品質を判定する信号品質判定手段と、
前記光ディスクの線速度に応じて信号品質判定手段への入力を低倍速時には前記エラー数計数手段の出力に切替え、高倍速時には前記ビタビ復号手段の出力に切り替える速度対応切替手段と
を備えることを特徴とする光ディスク用信号処理装置。
【請求項１４】
前記光ディスクの線速度に応じて、前記信号品質判定手段における判定レベルを切り替える速度対応切替手段
を備えることを特徴とする請求項１３に記載の光ディスク用信号処理装置。
【発明の詳細な説明】
【技術分野】
【０００１】
本発明は、光ディスクの信号品質を判定する技術に関する。
【背景技術】
【０００２】
近年、光ディスクの大容量化が進んでおり、大容量のデータをより高速に記録及び再生できる光ディスク装置が要望されている。
上記の要望に応え、高速にデータを記録再生し、かつ高速記録の信頼性をも高めるには、記録された信号を高速かつ正確にベリファイして信号品質を確認する必要がある。
従来の光ディスク装置においては、信号品質を、光ディスクから得られた反射光に基づくＲＦ信号をあるレベルより高いか低いかで２値化し（レベルスライス）、２値化信号をエラー訂正し、そのエラーの個数に基づいて判定する。
【特許文献１】特願平９−５９５１５号公報
【特許文献２】特願平９−３３４３４２号公報
【特許文献３】特願平１１−１３４４２１号公報
【発明の開示】
【発明が解決しようとする課題】
【０００３】
しかしながら、データを高速で記録再生すると、再生ＲＦ信号の周波数が高くなり、光ピックアップの光−電気信号変換部や信号処理部における周波数特性が再生ＲＦ信号の周波数に対し十分な余裕がなくなり、再生ＲＦ信号に劣化が生じてしまうので、従来の信号品質判定方法によると、実際に光ディスク上に記録された信号品質よりも、品質が悪いと判定されてしまう。そうなると、実際は記録品質が良いにもかかわらず不良と判定されたり、低速で記録を行う場合との互換性が保てなくなってしまう。
【０００４】
また、再生時には、波形を修正し、波形のパターンから元の波形を類推する処理を行うので、信号が周波数の高域特性により劣化していても再生自体は可能であるが、信号品質は実際の品質よりもよいと判定されてしまうこととなり、正確な信号品質を得ることができない。
本発明は、上記の課題を鑑みてなされたものであり、再生ＲＦ信号が劣化するような場合であっても、従来よりも高速かつ正確に信号品質を確認することのできる光ディスク用信号処理装置を提供することを目的とする。
【課題を解決するための手段】
【０００５】
上記課題を解決するために、本発明は、同心円またはスパイラル状に記録トラックを形成した光ディスクにデータを記録再生する光ディスク用信号処理装置であって、前記光ディスクから得られた反射光に基づくＲＦ信号から、前記光ディスク上に書かれた記録マークのうち記録した最短マーク長よりもさらにマーク長が短い信号である短記録マークを検出する短記録マーク検出手段と、前記短記録マーク検出手段において検出された短記録マークの個数である短記録マーク計数値を計数する短記録マーク計数手段と、前記ＲＦ信号を２値化するＲＦ信号２値化手段と、２値化された前記信号のエラー訂正を行うエラー訂正手段と、前記エラー訂正手段において検出されたエラー数を計数するエラー数計数手段と、前記エラー数をその信号品質相当の短記録マーク計数値に変換しエラー数変換値を求めるエラー数変換手段と、前記エラー数変換値と前記短記録マーク計数値との総和より前記光ディスク上に記録された品質を判定する信号品質判定手段とを備えることを特徴とする。
【発明の効果】
【０００６】
本発明の光ディスク用信号処理装置は、前述の構成を備えることにより、ディスクの高速回転に基づきＲＦ信号が劣化するような場合でも検出できる短記録マークの数と前記エラー数とに基づき信号品質を判定し、信号品質を従来に比べ正確に判定することができる。
また、前記光ディスク用信号処理装置は、ドライブコントロール手段からの指示により、前記光ディスクの線速度に応じて、前記エラー数変換手段における前記エラー数変換値への変換係数又はオフセット値と、前記信号品質判定手段における判定レベルとを切り替える速度対応切替手段を備えてもよい。
【０００７】
この構成によれば、光ディスクの線速度に応じたエラー数変換値を得ることができるので、信号品質を従来に比べ正確に判定することができる。
また、前記光ディスク用信号処理装置は、前記短記録マーク計数値に係数を乗算し又はオフセットを加算することにより前記短記録マーク計数値を補正することにより補正エラー数値を求める短記録マーク数補正手段と、前記エラー数計数手段で計数されたエラー数を補正エラー数値に変換するエラー数変換手段と、前記エラー数変換手段からの前記補正エラー数値と、前記短記録マーク補正手段からの前記補正エラー数値との総和より前記光ディスク上に記録された品質を判定する信号品質判定手段とを備えてもよい。
【０００８】
この構成によれば、短記録マーク計数値と、エラー数とを、補正エラー数値に変換するので、単一の基準で信号品質を判定できる。
例えば、前記補正エラー数値を低倍速時のエラー数とした場合には、高倍速時に測定したエラー数、短記録マーク計数値を低倍速時のエラー相当数に変換し、低倍速時のエラー相当数を用いて信号品質を判定できるので、高倍速用の信号品質判定モジュールを別途備えたり、高倍速用の信号品質判定基準を用意したりすることなく、高倍速時の信号品質判定ができる。
【０００９】
また、前記光ディスク用信号処理装置は、ドライブコントロール手段からの指示により、前記光ディスクの線速度に応じて、前記エラー数変換手段における前記エラー数変換値の変換係数又はオフセット値と、前記短記録マーク補正手段における前記短記録マーク補正計数値の補正係数又はオフセット値と、前記信号品質判定手段における判定レベルとを切り替える速度対応切替手段とを備えてもよい。
【００１０】
この構成によれば、ディスクの線速度を加味した信号品質判定結果を得ることができる。
また、前記光ディスク用信号処理装置は、前記短記録マーク計数手段で得られる前記短記録マーク計数値のレベルを判別する短記録マークレベル判別手段と、前記短記録マークレベル判別手段でレベル分けされた前記短記録マーク計数値のレベル毎に係数又はオフセット値を変えて前記短記録マーク計数値を補正し補正エラー数値を求める短記録マーク数補正手段とを備えてもよい。
【００１１】
この構成によれば、短記録マークの数をレベル分けして扱うので、保持する変換係数やオフセット値をレベル分けの数だけ保持すればよくなり、保持するデータ数を削減することができる。
また、前記光ディスク用信号処理装置は、前記光ディスクの線速度に応じて、前記エラー数変換手段における前記エラー数変換値の変換係数又はオフセット値と、前記短記録マークレベル判別手段の判定レベルと、前記短記録マーク数補正手段における前記短記録マーク補正計数値の補正係数又はオフセット値と、前記信号品質判定手段における判定レベルとを切り替える速度対応切替手段を備えてもよい。
【００１２】
この構成によれば、ディスクの線速度を加味した信号品質判定結果を得ることができる。
また、前記光ディスク用信号処理装置は、短記録マーク数補正手段に替えて、前記短記録マークレベル判別手段でレベル分けされた前記短記録マーク計数値のレベル毎に前記短記録マーク計数値を固定値に置換する短記録マーク置換手段を備えてもよい。
【００１３】
この構成によれば、短記録マークの数をレベル分けして扱い、レベル毎に固定値に変換するので、データ構造や、回路構造を簡略化することができる。
また、光ディスク用信号処理装置は、ドライブコントロール手段からの指示により前記光ディスクの速度に応じて、前記エラー数変換手段における前記エラー数変換値の変換係数やオフセット値と、前記短記録マークレベル判別手段の判定レベルと、前記短記録マーク置換手段における前記固定値と、前記信号品質判定手段における判定レベルとを切り替える速度対応切替手段を備えてもよい。
【００１４】
この構成によれば、ディスクの線速度を加味した信号品質判定結果を得ることができる。
また、前記光ディスク用信号処理装置は、事前に計測した隣接するセクタでの前記短記録マーク計数手段の計数値を保存するメモリ手段と、あるセクタでの短記録マーク計数値と前記メモリ手段に保存されていた隣接するセクタでの短記録マーク計数値と比較し、共にあるレベルより大きい場合かどうかを判断する隣接セクタ比較手段と、前記隣接セクタ比較手段による判断結果に応じて前記セクタとその隣接するセクタでの短記録マーク計数値を補正し、短記録マーク補正計数値を求める短記録マーク数補正手段とを備えてもよい。
【００１５】
この構成によれば、隣接するセクタにおいて検出された短記録マーク計数値に基づき、信号品質を判定することができる。
例えば、複数セクタの短記録マーク計数値を合計し、当該合計値を用いて当該複数セクタ全体の信号品質を判定する場合、あるセクタの短記録マーク計数値が、隣接セクタの短記録マーク計数値に比べ突出して大きくても、当該あるセクタの短記録マーク計数値を所定の上限値に補正することにより、１セクタの計数値のみが当該ブロックの信号品質を左右するのを防ぐことができる。
【００１６】
また、前記光ディスク用信号処理装置は、前記光ディスクの線速度に応じて、低倍速時はＲＦ信号レベルスライス手段とエラー訂正手段とエラー数計数手段を用い、高倍速時は請求項１乃至９のいずれかに記載の手段を用いて信号品質を判定する速度対応切替手段を備えてもよい。
この構成によれば、ディスクの線速度に応じ信号品質判定のための手段を切り替えることにより、適切に信号品質を判定することができる。
【００１７】
また、前記光ディスク用信号処理装置は、ＲＦ信号の有無を検出できるＲＦ信号エンベロープ検出手段と、前記ＲＦ信号エンベロープ検出手段からの出力に応じてＲＦ信号が欠落しているときは短記録マークを検出しないよう前記短記録マーク検出手段に入力する信号をマスクする信号マスク手段とを備えてもよい。
この構成によれば、ＲＦ信号エンベロープの振幅が小さい場合、即ち、光ディスクに信号が正常に記録されていない場合に、短記録マークが実際よりも多く検出されてしまうのを防ぐことができる。
【００１８】
また、前記光ディスク用信号処理装置は、ＰＲＭＬを行うための波形等化フィルタ手段とビタビ復号手段と、事前に信号品質検査用のフィルタ係数を保存してあるフィルタ係数メモリ手段と、信号品質検査やベリファイを行うときは前記フィルタ係数メモリ手段のフィルタ係数を前記波形等化フィルタに設定するフィルタ係数切替手段とを備えてもよい。
この構成によれば、出力の安定したＲＦ信号を用いて、信号品質の判定を行うことができる。
【００１９】
本発明の装置は、同心円またはスパイラル状に記録トラックを形成した光ディスクに記録再生する装置であって、前記光ディスクから得られた反射光に基づくＲＦ信号を２値化するＲＦ信号２値化手段と、２値化された前記信号のエラー訂正を行うエラー訂正手段と、前記エラー訂正手段においてエラー訂正できなかった信号の数であるエラー数を計数するエラー数計数手段と、前期再生信号処理手段からの出力をＰＲＭＬ処理を行う波形等化フィルタ手段とビタビ復号手段と、前記エラー数計数手段の出力または前記ビタビ復号手段の出力から信号品質を判定する信号品質判定手段と、前記光ディスクの線速度に応じて信号品質判定手段への入力を低倍速時には前記エラー数計数手段の出力に切替え、高倍速時には前記ビタビ復号手段の出力に切り替える速度対応切替手段とを備える。
【００２０】
また、前記装置は、前記光ディスクの線速度に応じて、前記信号品質判定手段における判定レベルを切り替える速度対応切替手段を備えてもよい。
この構成によれば、光ディスクの線速度に応じ、ＰＲＭＬを使用するか否かを切り替えることができる。
【発明を実施するための最良の形態】
【００２１】
以下、本発明の実施形態について、図示例と共に説明する。
（実施形態１）
本発明の実施形態１における光ディスク装置１は、誤り訂正処理において発生するエラー数を用いて信号品質を判定する従来の手法に替えて、当該エラー数と、光ディスクの高速回転等を要因とする劣化した再生信号である短記録マークの数とを計数し、当該エラー数と、短記録マークの数とを用いて信号品質を判定することにより、従来に比べ信号品質の判定精度を向上させるものである。特に、光ディスクが１６倍速など高速回転する場合に効果的である。
【００２２】
以下、光ディスク装置について、図示例と共に説明する。
＜構成＞
本発明の実施の形態１に係る光ディスク装置は、図１に示すように、ディスク駆動部１０２と、ピックアップ１０３と、再生信号処理部１０４と、レーザ制御部１０５と、駆動部１０６と、アクチュエータ制御部１０７と、ＲＦ信号２値化部１０８と、エラー訂正部１０９と、エラー数計数部１１０と、エラー数変換部１１１と、信号品質判定部１１２と、ドライブコントロール部１１３と、モータ制御部１１４と、短記録マーク検出部１１５と、短記録マーク計数部１１６とを備え、光ディスク１０１が装着される。
【００２３】
前記光ディスク装置は、具体的には、マイクロプロセッサ、ＲＯＭ、ＲＡＭ、光ディスクドライブユニットなどから構成されるコンピュータシステムである。前記ＲＡＭには、コンピュータプログラムが記憶されており、前記マイクロプロセッサが、前記コンピュータプログラムに従って動作することにより、前記光ディスク装置は、その機能を達成する。
【００２４】
光ディスク１０１は、ＣＤ−ＲＯＭ、ＣＤ−Ｒ、ＣＤ−ＲＷ、ＤＶＤ−ＲＡＭ、ＤＶＤ＋ＲＷ、ＰＤ等の情報の読み出しや書き込みにレーザ光が用いられるディスクである。
本実施の形態においては、光ディスク１０１は、ＤＶＤ−ＲＡＭであり、１セクタ毎に当該セクタのアドレス信号が記録されているものとする。ここで、１セクタは１３ＲＯＷから成り、１ＲＯＷは１８２バイトから成るものとする。
【００２５】
ディスク駆動部１０２は、スピンドルモータで実現され、ＺＣＬＶ（Ｚｏｎｅ  Ｃｏｎｓｔａｎｔ  Ｌｉｎｅｒ  Ｖｅｌｏｃｉｔｙ）方式に従い動作する。ＺＣＬＶは、光ディスクを内周からいくつかのゾーンに分け、それぞれのゾーンの線速度を一定に保つ方式である。ＤＶＤ−ＲＡＭのゾーン数は３５であり、最内周ゾーンのセクタ数は３５１０４、最外周ゾーンのセクタ数は１０５７２８である。
【００２６】
ピックアップ１０３は、レーザ制御部１０５からレーザ光の強度、出力タイミング等の指示を受け付け、当該指示に従ってレーザ光を光ディスク１０１の情報記録面に照射し、光ディスク１０１から反射された反射光をピックアップ内部のフォトディテクタで読み取ってＲＦ信号に変換し、再生信号処理部１０４に出力する。
また、ピックアップ１０３は、光ディスク１０１の案内溝で反射回折された光をフォトディテクタで受光して制御用信号に変換し、当該制御用信号を再生信号処理部１０４に出力する。
【００２７】
前記制御用信号には、トラッキング制御信号などピックアップ１０３の位置を制御するための信号が含まれる。
再生信号処理部１０４は、ピックアップ１０３から受信したＲＦ信号をＲＦ信号２値化部１０８に出力し、また、受信した制御用信号をアクチュエータ制御部１０７に出力する。
【００２８】
アクチュエータ制御部１０７は、再生信号処理部１０４から前記制御用信号を受信し、また、ドライブコントロール部１１３から、駆動部１０６を制御するための、光ディスクの線速度を示す速度情報と、読み出しや書き込みを行うべきデータの識別子を含む動作情報とを受信し、当該速度情報で示される線速度において、ピックアップ１０３がデータの読み出し、書き込みを行えるようトラッキング制御や、ピックアップ１０３の位置制御などの指示を駆動部１０６に対し行う。
【００２９】
駆動部１０６は、スピンドルモータで構成され、アクチュエータ制御部１０７からの指示を受信し、当該指示に従って、トラッキングを制御し、ピックアップ１０３の位置を光ディスク１０１の半径方向に移動させる。
レーザ制御部１０５は、ドライブコントロール部１１３から光ディスクの線速度を示す速度情報を受信し、当該線速度に対応したレーザー光の強度、出力タイミング等をピックアップ１０３に指示する。
【００３０】
モータ制御部１１４は、ドライブコントロール部１１３から光ディスクの線速度を示す速度情報を受信し、当該線速度で光ディスクを回転させるよう、ディスク駆動部１０２に指示する。
ディスク駆動部１０２は、モータから構成され、モータ制御部１１４から受信する指示に従って、光ディスク１０１を回転させる。
【００３１】
ドライブコントロール部１１３は、光ディスク１０１からのデータの読み出し、光ディスク１０１へのデータの書き込みを行うための、全体動作を制御する。
ドライブコントロール部１１３は、光ディスクの線速度を示す速度情報や、読み出しや書き込みを行うべきデータの識別子を含む動作情報等のドライブ制御情報を保持している。
【００３２】
また、ドライブコントロール部１１３は、信号品質判定部１１２から、信号品質が良好か不良かを示す品質情報を受信する。
前記品質情報が「不良」を示す場合、ドライブコントロール部１１３は、以後、光ディスク１０１における信号品質が不良であるブロックに替えて、予め、光ディスク１０１に確保されているスペア領域を用いるよう、レーザ制御部１０５、アクチュエータ制御部１０７、モータ制御部１１４を制御する。
【００３３】
ＲＦ信号２値化部１０８は、再生信号処理部１０４から受信するＲＦ信号からＯＦＴ信号を生成し、エラー訂正部１０９に出力する。
ここで、光ディスク１０１には、記録マークがマークエッジ記録方式により記録されており、ＯＦＴ信号はＲＦ信号のエッジ部分をデータとして、Ｈ信号とＬ信号とに２値化した信号であり、当該信号には、セクタ毎のアドレス信号と、データ信号が含まれている。
【００３４】
エラー訂正部１０９は、ＲＦ信号２値化部１０８が出力した２値信号に対し、リードソロモン積符号方式を用いて、１６セクタから成る１ＥＣＣブロックを単位としてエラー訂正処理を行う。
リードソロモン積符号方式については、公知の技術であり、説明は省略する。
エラー訂正部１０９は、前述のエラー訂正処理において、エラーを検出する毎に、エラー数計数部１１０に対し、パルス信号を出力する。
【００３５】
エラー数計数部１１０は、当該パルスを受信する度に、エラー検出数をカウントアップする。前記エラー検出数は、１ＥＣＣ毎に計数する。
短記録マーク検出部１１５は、再生信号処理部１０４から受信するＲＦ信号に含まれる短記録マークを検出する。
ここで、ＲＦ信号及び短記録マークについて、図２を用いて説明する。
【００３６】
光ディスク１０１には、一例として、図２（ａ）記録マーク２０２に示すような記録マークが記録されている。
記録マーク２０２は、光ディスク１０１が２倍速など低速に回転している場合の、読出クロック信号２０１の周期（１Ｔ）を基準とすると、３Ｔの時間長に相当する記録マークである。
【００３７】
光ディスク１０１に記録される記録マークは、それぞれが３Ｔ〜１４Ｔの時間長に相当し、１Ｔ及び２Ｔの時間長に相当する記録マークは、光ディスク１０１には記録されていない。
光ディスク１０１を低速（例えば、２倍速）で回転させている場合（図２（ａ）参照）、ピックアップ１０３が記録マーク２０２にレーザ光を照射し、読み取った反射光から生成するＲＦ信号は、信号波形２０３のような波形となる。信号波形２０３に関し、振幅が所定の閾値２０４以上となる部分をハイレベル、閾値未満となる部分をローレベルとした出力信号２０５のハイレベルの期間の幅（以下、記録マーク幅という。）は、３Ｔとなる。
【００３８】
また、光ディスク１０１を高速再生（例えば、８倍速再生）している場合に（図２（ｂ）参照）、ピックアップ１０３が記録マーク２０２にレーザ光を照射し読み取った反射光から生成するＲＦ信号は、周波数特性により低倍速再生時に比べて劣化し、信号波形２１３のような波形となる場合がある。
この場合、信号波形２１３の出力信号２１５の記録マーク幅は、本来３Ｔであるべきところ、２Ｔとなってしまう。同様に、光ディスク１０１をさらに高倍速再生（例えば、１６倍速再生）している場合には（図２（ｃ）参照）、ピックアップ１０３が記録マーク２０２にレーザ光を照射し読み取った反射光から生成するＲＦ信号は、信号波形２２３のような波形となる場合がある。この場合、信号波形２２３の出力信号２２５の記録マーク幅は、本来３Ｔであるべきところ、１Ｔとなってしまう。
【００３９】
以上のように、記録マーク幅が２Ｔ、１Ｔと判定された記録マークのことを、短記録マークという。
短記録マーク計数部１１６は、１ＥＣＣブロック毎に、短記録マーク検出部１１５が検出した短記録マークの数である短記録マーク検出数を計数する。
エラー数変換部１１１は、エラー数計数部１１０から前記エラーバイト検出数を受信し、受信したエラーバイト検出数を、前記短記録マーク検出数に相当する値である変換短記録マーク数に変換し、当該変換短記録マーク数を、信号品質判定部１１２へと出力する。
【００４０】
ここで、前記エラーバイト検出数から、変換短記録マーク数への変換は、一例として、変換式
「変換短記録マーク数  ＝  ０．８×  エラーバイト検出数」
によるものとする。
前記変換式は、予め、実験等を行って導きだしておくものとする。
【００４１】
例えば、書き込みエラーのない正常な光ディスクを高速回転させて信号の読み取りを行い、当該読み取り時に発生するエラーの数を計測し、また、検出した短記録マークの数を計測し、当該エラーの数と、当該短記録マークの数との関係を示す変換式を導きだすことが考えられる。また、実験によらず、シミュレーション等を用いて変換式を導き出してもよい。
【００４２】
信号品質判定部１１２は、エラー数変換部１１１から変換短記録マーク数を取得し、短記録マーク計数部１１６から、短記録マーク検出数を取得し、取得した、変換短記録マーク数と、短記録マーク検出数とを加算することにより合計短記録マーク数を算出し、前記合計短記録マーク数を用いて信号品質の判定を行う。
信号品質判定部１１２は、合計短記録マーク数が所定の閾値以上の場合、一例として６０以上の場合に、信号品質を「不良」と判定し、閾値未満の場合に、「良好」と判定し、「良好」又は「不良」を示す品質通知を、ドライブコントロール部１１３へと出力する。
＜動作＞
以下、本実施形態の主要な動作である、１ＥＣＣブロックに係る信号品質の判定処理について、図３を用いて説明する。
【００４３】
ＲＦ信号２値化部１０８及び短記録マーク検出部１１５は、１ＥＣＣブロックに相当するＲＦ信号を、再生信号処理部１０４から受信する。
短記録マーク計数部１１０は、内部変数である短記録マーク検出数を値「０」で初期化する（ステップＳ１０１）。
短記録マーク検出部１１５は、ＲＦ信号を、再生信号処理部１０４から順次受信する（ステップＳ１０２）。
【００４４】
当該受信は、１ＥＣＣブロックに相当する信号長のＲＦ信号の入力が完了するまで継続する。
短記録マーク検出部１１５は、１ＥＣＣブロックに相当するＲＦ信号の受信を完了したか否かを判定し（ステップＳ１０３）、受信完了していない場合（ステップＳ１０３：ＮＯ）、短記録マークの検出処理を行い、短記録マークを検出しなかった場合（ステップＳ１０４：ＮＯ）、ステップＳ１０２に移行し、短記録マークを検出した場合（ステップＳ１０４：ＹＥＳ）、短記録マーク検出数を１インクリメントして（ステップＳ１０５）、ステップＳ１０２に移行する。
【００４５】
ステップＳ１０３において、短記録マーク検出部１１５が、１ＥＣＣブロックに相当するＲＦ信号の受信を完了したと判定した場合（ステップＳ１０３：ＹＥＳ）、短記録マーク計数部１１６は、短記録マーク検出数を信号品質判定部１１２に送信し、後述するステップＳ１１７へと移行する。
ステップＳ１０１〜ステップＳ１０５に並行して、エラー数計数部１１０は、内部変数である、エラーバイト検出数を値「０」で初期化する（ステップＳ１１１）。
【００４６】
ステップＳ１０２において、ＲＦ信号２値化部１０８は、ＲＦ信号を、再生信号処理部１０４から順次受信する（ステップＳ１１２）。
ＲＦ信号２値化部１０８は、１ＥＣＣブロックに相当するＲＦ信号の受信を完了したか否かを判定し（ステップＳ１１３）、受信完了していない場合（ステップＳ１１３：ＮＯ）、受信したＲＦ信号の２値化処理を行い（ステップＳ１１４）、ステップＳ１１２へ移行する。
【００４７】
ステップＳ１１３において、ＲＦ信号２値化部１０８が、１ＥＣＣブロックに相当するＲＦ信号の受信を完了したと判定した場合（ステップＳ１１３：ＹＥＳ）、エラー訂正部１０９は、前述したリードソロモン積符号方式を用いて、受信した１ＥＣＣブロックを単位としたエラー訂正処理を行い、エラー数計数部１１０は、エラー訂正部１０９による当該エラー訂正処理中にエラーが発生した場合にエラーバイト検出数をインクリメント（ステップＳ１１５）する。
【００４８】
前記エラー訂正処理終了後、エラー数計数部１１０は、エラーバイト検出数を、エラー数変換部１１１に送信する。
エラー数変換部１１１は、前記エラーバイト検出数を受信し、変換式「変換短記録マーク数  ＝  ０．８×  エラーバイト検出数」に従い、変換短記録マーク数を算出し（ステップＳ１１６）、算出した変換短記録マーク数を信号品質判定部１１２に送信する。
【００４９】
信号品質判定部１１２は、短記録マーク計数部１１６から短記録マーク検出数を受信し、かつエラー数変換部１１１から変換短記録マーク数を受信した場合に、短記録マーク検出数と変換短記録マーク数とを加算し、加算した結果である合計短記録マーク数を得る（ステップＳ１１７）。
信号品質判定部１１２は、前記合計短記録マーク数が６０以上である場合（ステップＳ１２１：ＹＥＳ）、信号品質が「不良」であると判定し、前記合計短記録マーク数が６０未満である場合（ステップＳ１２１：ＮＯ）、信号品質が「良好」であると判定し、当該判定の結果をドライブコントロール部１１３に出力する。
＜まとめ＞
１６倍速等の高速で光ディスクを回転させる場合、ピックアップ１０３内の光−電気信号変換部及び再生信号処理部１０４における周波数特性により、ＲＦ信号に劣化が生じる。
【００５０】
ここで、劣化が生じたＲＦ信号について、従来のように信号品質を判定すると、実際は記録品質が良いにも関わらず不良となったり、低速で記録を行う場合との互換性が保てなくなる。
本願は、上述したように、前記誤りの数だけでなく、記録マーク幅が２Ｔ、１Ｔといった短記録マークを検出し、短記録マークの数も信号品質の判定に用いている。
【００５１】
短記録マークは、光ディスクが低速回転している場合であれば、記録マーク幅が３Ｔ以上の正常な記録マークとして読み取られる場合が多い。
上記誤り訂正における誤りの数を、相当する短記録マークの数に変換し、誤りの数から変換した短記録マークの数と、検出した短記録マークの数との総和により、信号品質を判定している。
【００５２】
よって、光ディスクを高速回転させ、ＲＦ信号が劣化している場合でも、信号品質を従来よりも高精度に判定することができる。
（実施形態２）
以下、実施形態２について、前述の実施形態１と異なる点を中心に説明する。
前述の通り、光ディスク１０１は、内周から外周にかけて複数のゾーンに分けられており、実施形態２は、各ゾーン毎に、変換係数や判定レベルを変える点が実施形態１と異なる。即ち、実施形態１において、エラー数変換部１１１は、変換式「変換短記録マーク数  ＝  ０．８×  エラーバイト検出数」を用いて、エラーバイト検出数から、変換短記録マーク数への変換を行っていたが、実施形態２においては、ゾーン毎に変換式を用意し、ゾーンに対応する変換式を用いて、エラーバイト検出数から、変換短記録マーク数への変換を行う。ゾーン毎の変換式は、実施形態１で変換式を求めたのと同様の手法で、実験等により予め導き出しておくものとする。
【００５３】
実施形態２の光ディスク装置は、図４に示すように、ディスク駆動部１０２と、ピックアップ１０３と、再生信号処理部１０４と、レーザ制御部１０５と、駆動部１０６と、アクチュエータ制御部１０７と、ＲＦ信号２値化部１０８と、エラー訂正部１０９と、エラー数計数部１１０と、エラー数変換部１２１と、信号品質判定部１２２と、ドライブコントロール部１２３と、モータ制御部１１４と、短記録マーク検出部１１５と、短記録マーク計数部１１６と、速度対応切替部１２４とを備える。
【００５４】
図４中、図１と同一の符号を付した部分は同一物を表わしている。
エラー数変換部１２１は、エラー数変換部１１１とほぼ同一であるが、一例として図５に示すように、再生を行うディスクの線速度の範囲を示す速度情報範囲と、ゾーン識別子範囲と、当該ゾーンに係る変換式に用いられる変換係数との対応を示すゾーン変換係数エントリから構成されるゾーン変換係数表を保持する。
【００５５】
ここで、前記変換式は、
「変換短記録マーク数  ＝  変換係数  ×  エラーバイト検出数」
で表され、変換式中の変換係数は、ゾーン変換係数エントリに含まれる値を用いる。
前記速度情報範囲は、範囲の開始を示す開始速度情報と、範囲の終了を示す終了速度情報を含む。
【００５６】
前記ゾーン識別子範囲は、範囲の開始を示す開始識別子と、範囲の終了を示す終了識別子を含む。
一例として、ゾーン変換係数エントリ３２１は、ディスクの線速度が１５．７倍速〜１６倍速の範囲であることを示す値「１５．７」を持つ開始速度情報３０１と、値「１６」を持つ終了速度情報３０２と、ゾーン識別子の値が「３３」〜「３４」の範囲であることを示す開始識別子３０３、終了識別子３０４、値が「１．００」である変換係数３０５とを含む。
【００５７】
エラー数変換部１２１は、速度対応切替部１２４から、速度情報と、ゾーン識別子とを受信し、受信した速度情報と、ゾーン識別子とに対応するゾーン変換係数エントリをゾーン変換係数表から選択し、変換係数を抽出する。
例えば、エラー数変換部１２１は、速度対応切替部１２４から、速度情報「１６」と、ゾーン識別子「３３」とを受信した場合、前記ゾーン変換式表を参照し、速度情報「１６」と、ゾーン識別子「３３」とに対応するゾーン変換係数エントリ３２１を選択し、ゾーン変換係数エントリ３２１中の値が「１．００」である変換係数３０５を抽出する。
【００５８】
この場合、エラー数変換部１２１は、変換式として、「変換短記録マーク数  ＝  １．００  ×  エラーバイト検出数」を用いる。
また、信号品質判定部１２２は、信号品質判定部１１２とほぼ同一であるが、一例として図６に示すように、再生を行うディスクの線速度の範囲を示す速度情報範囲と、ゾーン識別子範囲と、当該ゾーン識別子範囲内のゾーンにおける閾値であるゾーン閾値とを含むゾーン閾値エントリから構成されるゾーン閾値表を保持する。
【００５９】
ゾーン閾値エントリ３４６は、ディスクの線速度が１５．７倍速〜１６倍速の範囲であることを示す値「１５．７」を持つ開始速度情報３４１と、値「１６」を持つ終了速度情報３４２とゾーン識別子の値が「３３」〜「３４」の範囲であることを示す開始識別子３４３、終了識別子３４４、値が「７０」であるゾーン閾値３４５とを含む。
信号品質判定部１２２は、速度対応切替部１２４から、速度情報と、ゾーン識別子とを受信し、受信した速度情報と、ゾーン識別子とに対応するゾーン閾値エントリを選択し、ゾーン閾値を決定する。
【００６０】
例えば、信号品質判定部１２２は、速度対応切替部１２４から、速度情報「１６」と、ゾーン識別子「３３」とを受信した場合、前記ゾーン閾値表を参照し、速度情報「１６」と、ゾーン識別子「３３」とに対応するゾーン閾値エントリ３４１を選択し、ゾーン閾値エントリ３４６中の値が「７０」であるゾーン閾値３４５を抽出する。
実施形態１のステップＳ１２１において、信号品質判定部１１２は、前記合計短記録マーク数が６０以上である場合に信号品質が「不良」であると判定していたが、信号品質判定部１２２は、前記合計短記録マーク数が選択したゾーン閾値（上記例では、「７０」）以上である場合に信号品質が「不良」であると判定することとなる。
【００６１】
前記ゾーン閾値表は、予め、実験等の結果に基づき定めておくものとする。
また、実験によらず、シミュレーション等を用いて変換式を導き出してもよい。
（実施形態３）
実施形態２においては、誤り訂正におけるエラーバイト検出数と、短記録マーク検出数を計数し、前記エラーバイト検出数を短記録マーク検出数相当である変換短記録マーク数に変換し、前記短記録マーク検出数と、前記変換短記録マーク数との総和である合計短記録マーク数を用いて、信号品質の判定を行っていた。
【００６２】
実施形態３では、光ディスクの高速回転時のエラーバイト検出数と、短記録マーク検出数とのそれぞれを、従来の低速回転時のエラーバイト検出数に相当する数値である低速エラー数に変換し、当該低速エラー数を用いて、信号品質の判定を行う点に特徴がある。
これにより、短記録マーク検出数を信号品質の判定に加味することができ、かつ信号品質の判定を、従来からの低速回転時のエラーバイト検出数を用いて判定するアルゴリズムなどを用いて行えるので、構成が複雑化することなく、また、低速記録との互換性を確保することができる。
【００６３】
以下、実施形態３について、前述の実施形態２と異なる点のみ説明する。
実施形態３の光ディスク装置は、図７に示すように、ディスク駆動部１０２と、ピックアップ１０３と、再生信号処理部１０４と、レーザ制御部１０５と、駆動部１０６と、アクチュエータ制御部１０７と、ＲＦ信号２値化部１０８と、エラー訂正部１０９と、エラー数計数部１１０と、エラー数変換部１３１と、信号品質判定部１３２と、ドライブコントロール部１３３と、モータ制御部１１４と、短記録マーク検出部１１５と、短記録マーク計数部１１６と、短記録マークレベル判別部１３４と、短記録マーク数補正部１３５と、速度対応切替部１３６とを備える。図７中、図４と同一の符号を付した部分は同一物を表わしている。
【００６４】
エラー数変換部１３１は、一例として図８に示すようなエラー数変換パラメータ表４０１を保持している。
エラー数変換パラメータ表４０１は、複数のエラー数変換パラメータエントリから成り、エラー数変換パラメータ表エントリは、速度情報範囲と、ゾーン識別子範囲と、変換係数と、オフセットとを含む。
【００６５】
速度情報範囲は、光ディスクの線速度の範囲を示し、ゾーン識別子範囲はゾーンの範囲を示し、変換係数とオフセットは、エラーバイト検出数を、低速エラー数に変換する変換式のパラメータである。
実施形態３において、前記変換式は、「低速エラー数  ＝  係数  ×  エラーバイト検出数  ＋  オフセット」とする。
【００６６】
例えば、エラー数変換パラメータエントリ４１０は、ディスクの線速度が１５．７倍速〜１６倍速の範囲であることを示す、値「１５．７」を持つ開始速度情報４１１と、値「１６．０」を持つ終了速度情報４１２と、ゾーン識別子範囲と、値が「０．５」である変換係数４１５と、値が「８」であるオフセット４１６とを含む。
前記ゾーン識別子範囲は、範囲の開始を示す開始識別子と、範囲の終了を示す終了識別子を含み、開始識別子４１３は値が「３３」であり、終了識別子４１４は値が「３４」である。即ち、開始識別子４１３と、終了識別子４１４とを含むゾーン識別子範囲は、範囲が「３３〜３４」を示す
ここで、エラー数変換部１３１は、エラー数計数部１１０から、パラメータとして、速度情報「１６」、ゾーン識別子「３３」、エラーバイト検出数「５０」を取得した場合、前記パラメータに対応するエラー数変換パラメータエントリ４１０を選出し、エラー数変換パラメータエントリ４１０に含まれる変換係数４１５と、オフセット４１６とを用いて、演算「０．５×５０＋８＝３３」を実行し、結果として、低速エラー数「３３」を得ることとなる。
【００６７】
前記エラー数変換パラメータ表は、予め、実験等の結果に基づき定めておくものとする。
また、実験によらず、シミュレーション等の結果に基づき定めておくものとしてもよい。
短記録マークレベル判別部１３４は、速度情報と、ゾーン識別子と、短記録マーク計数部１１６が計数した短記録マーク検出数とを受信し、短記録マークレベルを判別して、出力する。
【００６８】
短記録マークレベル判別部１３４は、一例として図９に示すようなレベル判別表４３０を保持している。
前記レベル判別表は複数のレベル判別エントリから成り、レベル判別エントリは、速度情報範囲と、ゾーン識別子範囲と、短記録マーク数範囲と、短記録マークレベルとを含む。
【００６９】
前記速度情報範囲は、範囲の開始を示す開始速度情報と、範囲の終了を示す終了速度情報を含み、前記ゾーン識別子範囲は、範囲の開始を示す開始識別子と、範囲の終了を示す終了識別子を含み、前記短記録マーク数範囲は、範囲の下限を示す下限値情報と、範囲の上限を示す上限値情報を含む。
短記録マークレベルとは、短記録マーク数を、速度情報、ゾーン識別子範囲に応じてレベル分けするものである。
【００７０】
レベル判別エントリ４３８は、ディスクの線速度が１５．７倍速〜１６倍速の範囲であることを示す値「１５．７」を持つ開始速度情報４３１と、値「１６」を持つ終了速度情報４３２と、値が「３３」である開始識別子４３３と、値が「３４」である終了識別子４３４とを含むゾーン識別子範囲と、値が「１００」である下限値情報４３５と、値が「９９９９」である上限値情報４３６とを含む短記録マーク数範囲と、値が「１０」である短記録マークレベル４３７を含む。
【００７１】
短記録マークレベル判別部１３４は、パラメータとして、速度情報「１６」と、ゾーン識別子「３３」と、短記録マーク数「１１０」とを取得した場合、レベル判別表４３０から、速度情報「１６」、ゾーン識別子「３３」、短記録マーク数「１１０」に対応するレベル判別エントリ４３８を選択し、レベル判別エントリ４３８に含まれる短記録マークレベルである短記録マークレベル４３７を、短記録マーク数補正部１３５に出力する。
【００７２】
短記録マーク数補正部１３５は、短記録マークレベル判別部１３４から短記録マークレベルを受信し、短記録マーク計数部１１６で計数された短記録マーク検出数を、短記録マーク数補正パラメータ表を用いて、低速エラー数へと変換する。
短記録マーク数補正部１３５は、一例として図１０に示す短記録マーク数補正パラメータ表４６０を保持している。
【００７３】
短記録マーク数補正パラメータ表は、複数の短記録マーク数補正パラメータエントリから成り、短記録マーク数補正パラメータエントリは、短記録マークレベルと、変換係数と、オフセットとを含む。
短記録マークレベルは、短記録マークレベル判別部１３４により判別されるレベルを示し、変換係数と、オフセットは、短記録マーク検出数を、低速エラー数へと変換する変換式のパラメータとして用いられる。
【００７４】
実施形態３において、変換式は、「低速エラー数  ＝  変換係数  ×  短記録マーク検出数  ＋  オフセット」とする。
短記録マーク数補正パラメータエントリ４６１は、値が「１０」である短記録マークレベル４６２と、値が「０．７」である変換計数４６３と、値が「１５」であるオフセット４６４とを含む。
【００７５】
ここで、短記録マーク数補正部１３５が、パラメータとして短記録マークレベル「１０」を受信し、短記録マーク計数部１１６で計数された短記録マーク検出数が「１１０」であった場合、短記録マーク数補正部１３５は、演算「０．７×１１０＋１５＝９２」を実行し、低速エラー数「９２」を演算結果として得る。
前記レベル判別表、短記録マーク数補正パラメータ表、変換式は、予め、実験等の結果に基づき定めておくものとする。
【００７６】
また、実験によらず、シミュレーション等の結果に基づき定めておくものとしてもよい。
信号品質判定部１３２は、速度対応切替部１２４から、線速度と、ゾーン識別子とを受信し、受信した線速度と、ゾーン識別子とに対応するゾーン閾値を選択する。
次に、信号品質判定部１３２は、エラー数変換部１３１及び短記録マーク数補正部１３５のそれぞれから低速エラー数を取得し、エラー数変換部１３１から取得した低速エラー数と、短記録マーク数補正部１３５から取得した低速エラー数とを加算し、当該加算値が、選択した前記ゾーン閾値以上であった場合に、信号品質が「不良」であると判定する。
【００７７】
＜動作＞
以下、本実施形態の主要な動作である、１ＥＣＣブロックに係る信号品質の判定処理について、図１８を用いて説明する。
図１８中、図３と同一符号を付したステップは、図３におけるステップと同じ処理を行うので、説明は省略する。
【００７８】
ステップＳ１０１〜ステップＳ１０５において、短記録マーク計数部１１６は短記録マーク検出数を計数する。
短記録マークレベル判別部１３４は、短記録マーク計数部１１６から短記録マーク検出数を取得し、速度対応切替部１３６から、光ディスク１０１の線速度を示す速度情報と、光ディスク１０１において現在使用されているゾーンを示すゾーン識別子とを取得する。
【００７９】
短記録マークレベル判別部１３４は、レベル判別表を参照し、前記速度情報と、前記ゾーン識別子と、前記短記録マーク検出数に対応する短記録マークレベルを読み出し、短記録マーク数補正部１３５に当該短記録マークレベルと前記短記録マーク検出数を送信する（ステップＳ１３１）。
短記録マーク数補正部１３５は、前記短記録マークレベルと、短記録マーク検出数を受信し、前記短記録マークレベルに対応する変換係数と、オフセットとを短記録マーク補正パラメータ表から読み出す（ステップＳ１３２）。
【００８０】
短記録マーク数補正部１３５は、演算「第１低速エラー数＝読み出した変換係数×短記録マーク検出数＋オフセット」を実行することによって、第１低速エラー数を得る（ステップＳ１３３）。
また、エラー数変換部１３１は、エラー数係数部１１０から、エラー数係数部１１０により計数されたエラーバイト検出数を取得し、また、速度対応切替部１３６から、光ディスク１０１の線速度を示す速度情報と、光ディスク１０１において現在使用されているゾーンを示すゾーン識別子とを取得する。
【００８１】
エラー数変換部１３１は、エラー数変換パラメータ表を参照し、取得した速度情報とゾーン識別子とに対応する変換係数と、オフセットとをエラー数変換パラメータ表から読み出して、「第２低速エラー数＝読み出した前記変換係数×エラーバイト検出数＋オフセット」を実行し、実行結果として、第２低速エラー数を得て、第２低速エラー数を信号品質判定部１３２に出力する（ステップＳ１３５）。
【００８２】
信号品質判定部１３２は、第１低速エラー数と第２低速エラー数とを加算することにより、合計低速エラー数を得る（ステップＳ１３６）。
信号品質判定部１３２は、速度対応切替部１３６から、光ディスク１０１の線速度を示す速度情報と、光ディスク１０１において現在使用されているゾーンを示すゾーン識別子とを取得し、前記速度情報と、前記ゾーン識別子とに対応するゾーン閾値を、図６に示したゾーン閾値表から読み出す。
【００８３】
信号品質判定部１３２は、前記合計低速エラー数が、読み出した前記ゾーン閾値以上であるか否かを判定し（ステップＳ１３７）、閾値未満である場合（ステップＳ１３７：ＮＯ）は、信号品質が「良好」であると決定し（ステップＳ１３８）、閾値以上である場合（ステップＳ１３７：ＹＥＳ）は、信号品質が「不良」であると決定する（ステップＳ１３９）。
（実施形態４）
実施形態４は、実施形態３とは、図１１に示すように、短記録マーク計数部１１６と、短記録マークレベル判別部１３４との間に、隣接セクタ比較部１５１と、メモリ部１５２とが挿入される点が異なる。
【００８４】
即ち、短記録マーク計数部１１６で実際に計数した短記録マーク検出数を補正してから、信号品質の判定等に用いるところに特徴がある。
以下、隣接セクタ比較部１５１と、メモリ部１５２の動作について、説明する。
隣接セクタ比較部１５１は、短記録マーク計数部１１６が、１セクタ分の短記録マークの数を計数する毎に、１セクタ分の当該短記録マーク検出数をメモリ部１５２に順に記憶させる。
【００８５】
メモリ部１５２には、例えば、図１２に示すように、連続する第１〜第４セクタ内で検出された短記録マークの数であって、第１セクタで検出され値が「５」である短記録マーク検出数５０１、第２セクタで検出され値が「７」である短記録マーク検出数５０２、第３セクタで検出され値が「８０」である短記録マーク検出数５０３、第４セクタで検出され値が「６」である短記録マーク検出数５０４が記録されている。
【００８６】
隣接セクタ比較部１５１は、連続する３セクタの短記録マーク検出数を比較し、真中のセクタが、前後のセクタに比べて、著しく多い短記録マーク数が検出されている場合、例えば、前後のセクタに比べて１０倍以上の値が検出されている場合に、当該真中のセクタに対応する短記録マーク数の値を、補正する。当該補正は、一例として、値を上限値「６０」にすることで実現する。
【００８７】
例えば、隣接セクタ比較部１５１は、短記録マーク検出数５０２〜５０４を比較し、短記録マーク検出数５０３の値「８０」は、短記録マーク検出数５０２の値「７」の１０倍以上、短記録マーク検出数５０４の値「６」の１０倍以上であるので、短記録マーク検出数５０３の値「８０」を値「６０」に補正する。
隣接セクタ比較部１５１は、短記録マーク計数部１１６が計測した１ＥＣＣ分の短記録マーク検出数から、値「８０」と値「６０」の差分である値「２０」を差し引いて、「２０」が差し引かれた短記録マーク検出数を、短記録マークレベル判別部１３４に出力する。
【００８８】
以上、本実施形態において、隣接セクタ比較部１５１と、メモリ部１５２とは、短記録マーク計数部１１６と、短記録マークレベル判別部１３４との間に挿入することとしていたが、これに限らず、例えば、図１の短記録マーク計数部１１６と、信号品質判定部１１２との間に挿入するような場合でも同様の効果は発揮される。
＜変形例＞
なお、本発明を上記の実施の形態に基づいて説明してきたが、本発明は、上記の実施の形態に限定されないのはもちろんである。以下のような場合も本発明に含まれる。
【００８９】
（１）  実施形態１で示した、前記エラーバイト検出数から、対応エラーバイト数への変換は、一例として変換式「対応エラーバイト数  ＝  ０．４×  短記録マーク検出数」によるものとしたが、これに限らない。
例えば、書き込みエラーのない正常な光ディスクについて、対応エラーバイト数と、短記録マーク検出数を実測し、実測結果から導き出された他の式を用いてもよいし、実測以外のシミュレーション等を用いて導き出してもよい。また、変換式によらず、エラー数変換部１１１が、対応エラーバイト数と短記録マーク検出数との対応表を予め保持しておき、受信したエラー検出数に対応する短記録マーク検出数を前記対応表から読み出して使用するものとしてもよい。
【００９０】
（２）実施形態３において、短記録マークレベル毎の変換係数とオフセットを用いて短記録マーク検出数を変換しているが、図１３に示すような短記録マークレベルと固定値である短記録マーク数の対応表を予め保持しておき、当該対応表を参照して短記録マークレベルを、固定値である短記録マーク数に変換することとしてもよい。
また、短記録マークレベルへの変換を行わず、変換係数とオフセットを用いて短記録マーク検出数を変換することとしてもよい。
【００９１】
（３）  上述してきた短記録マーク検出数とエラーバイト検出数とを用いる信号品質判定処理と、従来方式のエラーバイト検出数のみを用いて信号品質判定処理を行う場合とを、光ディスクの線速度に応じて切り替えることとしてもよい。
本変形例の光ディスク装置は、図１４に示すように、図１に示した構成に対してスイッチ１４１と、セレクタ１４２と、速度対応切替部１４３とを付加し、ドライブコントロール部１１３をドライブコントロール部１４４に置き換えて構成する。
【００９２】
ドライブコントロール部１４４は、光ディスクの線速度を速度対応切替部１４３に対して通知している点が、前述したドライブコントロール部１１３と異なる。
スイッチ１４１は、速度対応切替部１４３によってオン状態とオフ状態の何れかに切り替えられ、スイッチ１４１がオン状態になった場合は、再生信号処理部１０４と短記録マーク検出部１１５とが接続し、スイッチ１４１がオフ状態になった場合は、再生信号処理部１０４と短記録マーク検出部１１５との接続が断たれた状態となる。
【００９３】
セレクタ１４２は、速度対応切替部１４３からの指示により、エラー数計数部１１０を信号品質判定部１１２に接続するか、エラー数計数部１１０をエラー数変換部１１１に接続するかを切り替える。
速度対応切替部１４３は、ドライブコントロール部１４４から、線速度として高速回転である１６倍速を示す「１６」という値を受け取った場合に、スイッチ１４１をオン状態に切り替え、セレクタ１４２を、エラー数計数部１１０とエラー数変換部１１１とが接続するように切り替える。
【００９４】
また、速度対応切替部１４３は、ドライブコントロール部１４４から、線速度として、２倍速を示す値「２」、４倍速を示す値「４」、８倍速を示す値「８」等を受信した場合には、スイッチ１４１をオフ状態にし、セレクタ１４２を、エラー数計数部１１０と信号品質判定部１１２とが接続するように切り替える。
以上の構成によって、本変形例に係る光ディスク装置は、光ディスクが高速回転している場合には、上述してきた短記録マーク検出数とエラーバイト検出数とを用いる信号品質判定処理を実行し、光ディスクが低速回転している場合には、従来方式であるエラーバイト検出数のみを用いて信号品質判定処理を実行する。
【００９５】
（４）  再生信号処理部１０４が出力するＲＦ信号のエンベロープ信号を検出し、当該エンベロープ信号が所定閾値より低い場合には、短記録マークの検出を行わないこととしてもよい。
エンベロープ信号が所定閾値より低い場合は、記録信号の振幅が小さく、ＲＦ信号の劣化が激しくなっており、短記録マークの検出が多く行われてしまうからである。
【００９６】
本変形例の光ディスク装置は、図１５に示すように、図１に示した構成に対してＲＦ信号エンベロープ検出部１５５と、信号マスク部１５６とを付加して構成する。
ＲＦ信号エンベロープ検出部１５５は、再生信号処理部１０４からＲＦ信号を受信しており、当該受信したＲＦ信号のエンベロープ信号を生成し、生成したエンベロープ信号の振幅が所定閾値以下になるか否かを判定している。
【００９７】
所定閾値以下になった場合、ＲＦ信号エンベロープ検出部１５５は、信号マスク部１５６に対し、入力信号をマスクするよう指示する。
前記指示を受けた信号マスク部１５６は、再生信号処理部１０４から受信するＲＦ信号をマスクして、短記録マーク検出部１１５に出力する。マスクされた信号は振幅が０となるので、短記録マーク検出部１１５が、短記録マークを検出することはなくなる。
【００９８】
以上の構成により、ＲＦ信号のエンベロープ信号が所定閾値より低くなっている場合には、エラーバイト検出数のみを用いて、信号品質の判定が行われる。
（５）  ＤＶＤ−ＲＡＭで従来用いられるＦＩＲ（Ｆｉｎｉｔｅ  Ｉｍｐｕｌｓｅ  Ｒｅｓｐｏｎｓｅ）フィルタは、フィルタ値を常時算出して学習しているが、このように、任意のディスクの任意の場所で求めたフィルタ値だと求めた場所により算出結果が変わり、常時学習で求めるフィルタ値を用いると信号品質の悪い波形に対しても最適な値を求めにいくので基準とするには不安定となる。
【００９９】
本変形例では、ＦＩＲフィルタに対し、書き込みエラー等の無い基準ディスクを用いて学習した固定値や、シミュレーションで求めた理想値をフィルタ値として用いることにより、ＲＦ信号出力を安定化させる。
本変形例の光ディスク装置は、図１６に示すように、図１に示した構成に対して波形等化フィルタ部１６１と、フィルタ係数切替部１６２と、フィルタ係数メモリ部１６３と、ビタビ復号部１６４を付加して構成する。
【０１００】
波形等化フィルタ部１６１は、再生信号処理部１０４が出力する信号に対し波形等化処理を行うフィルタである。
フィルタ係数メモリ部１６３は、波形等化フィルタ部１６１で用いられるフィルタ係数を予め複数記憶している。
フィルタ係数切替部１６２は、フィルタ係数メモリ部１６３からフィルタ係数を読み出して、波形等化フィルタ部１６１に設定する。
【０１０１】
ビタビ復号部１６４は、波形等化フィルタ部１６１から受信する信号に対しビタビ復号処理を行い、当該ビタビ復号処理を行った信号をＲＦ信号２値化部１０８に出力する。
波形等化及びビタビ復号は、伝送路誤りを起こす確率の高いシステムで高い伝送効率を実現するための技術であり、広く用いられている技術であるので説明は省略する。
【０１０２】
（６）  図１７に示すような構成としてもよい。
ＲＦ信号レベルスライス部１７１は、ＲＦ信号を２値化して出力する。
波形等化フィルタ部１７２は、再生信号処理部１０４から受信するＲＦ信号に対し、波形等化処理を行って出力する。
ビタビ復号部１７３は、波形等化フィルタ部１７２から、波形等化処理が施された信号を受信し、受信した当該信号に対し、ビタビ復号を行って、エラー訂正部１０９に対し出力する。
【０１０３】
セレクタ１７４は、速度対応切替部１７５の指示に従い、ＲＦ信号レベルスライス部１７１とビタビ復号部１７３のいずれか一方と、エラー訂正部１０９とを接続する。
速度対応切替部１７５は、ドライブコントロール部１２３から、光ディスクの線速度を受信し、線速度が高速回転を示す「１６」である場合に、ビタビ復号部１７３とエラー訂正部１０９とを接続するよう指示し、線速度が低速回転を示す場合に、ＲＦ信号レベルスライス部１７１とエラー訂正部１０９とを接続するよう、セレクタ１７４に指示する。
【０１０４】
以上により、本変形例の光ディスク装置は、光ディスクが高速回転している場合には、ＲＦ信号に対し、波形等化処理及びビタビ復号処理を施し、光ディスクが低速回転している場合には、ＲＦ信号をレベルスライスする。
（７）  上記実施形態において、速度情報に基づき、変換係数、オフセットなどのパラメータを、切り替えて用いることとしていたが、これに限らない。
【０１０５】
例えば、変換係数、オフセットなどのパラメータを、速度情報を加味せず、ゾーン識別子に基づいてのみ切り替えることとしてもよい。
（８）  上記実施形態では、光ディスクの高速回転時に、記録マークを短記録マークとして読み出した数を計数することとしていたが、これには限らない。
例えば、光ディスクの高速回転時に、記録マークに替えて、３Ｔ以上の時間長に相当する、記録マーク間のスペースを読み取り、当該スペースが、２Ｔ又は１Ｔの時間長に相当する短記録スペースとして認識された数を計数し、計数した短記録スペース数を用いて、信号品質の判定を行ってもよい。
【０１０６】
また、短記録マーク検出数と、短記録スペース数とを組み合わせて信号品質の判定に用いることとしてもよい。
（９）  上記実施形態では、１ＥＣＣ単位で、信号品質の判定を行うこととしていたが、これには限らず、その他の単位で信号品質の判定を行ってもよい。
例えば、セクタ単位で、エラーバイト検出数と、短記録マーク検出数とを用いて信号品質を判定してもよいし、ＲＯＷ単位で行ってもよい。
【０１０７】
（１０）  図５、図６、図８、図９、図１０において、速度情報範囲及びゾーン識別子範囲の両方を記載しているが、両方記載する必要はなく、速度情報範囲とゾーン識別範囲とが１対１で対応している場合などは、速度情報範囲又はゾーン識別子範囲のいずれか一方を記載しておき、判定処理に用いてもよい。
（１１）上記の各装置は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【０１０８】
（１２）上記の各装置を構成する構成要素の一部又は全部は、１個のシステムＬＳＩ（Large Scale Integration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【０１０９】
（１３）上記の各装置を構成する構成要素の一部又は全部は、各装置に脱着可能なＩＣカード又は単体のモジュールから構成されているとしてもよい。前記ＩＣカード又は前記モジュールは、マイクロプロセッサ、ＲＯＭ、ＲＡＭ、などから構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【０１１０】
（１４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１１１】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１１２】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１５）上記実施の形態及び上記変形例をそれぞれ組み合わせるとしてもよい。
【産業上の利用可能性】
【０１１３】
本発明の光ディスク用信号処理装置は、ＤＶＤプレーヤなど光ディスクにデータを記録再生するデジタル家電機器に用いられ、当該デジタル家電機器の製造業者などにより、生産、販売等が成される。
【図面の簡単な説明】
【０１１４】
【図１】本発明の実施形態１に係る光ディスク装置の構成を示すブロック図である。
【図２】ＲＦ信号及び短記録マークの概略を示す図である。
【図３】信号品質の判定処理を示すフローチャートである。
【図４】実施形態２に係る光ディスク装置の構成を示すブロック図である。
【図５】エラー数変換部が保持するゾーン変換係数表の一例を示す図である。
【図６】信号品質判定部が保持するゾーン閾値表の一例を示す図である。
【図７】実施形態３に係る光ディスク装置の構成を示すブロック図である。
【図８】エラー数変換部が保持するエラー数変換パラメータ表の一例を示す図である。
【図９】短記録マークレベル判別部が保持するレベル判別表の一例を示す図である。
【図１０】短記録マーク数補正部が保持する短記録マーク数補正パラメータ表の一例を示す図である。
【図１１】実施形態４に係る光ディスク装置の構成を示すブロック図である。
【図１２】メモリ部が保持するセクタ毎の短記録マーク検出数のデータ構造の一例を示す図である。
【図１３】短記録マークレベルと固定値である短記録マーク数の対応表の一例を示す図である。
【図１４】変形例に係る光ディスク装置の構成を示すブロック図である。
【図１５】変形例に係る光ディスク装置の構成を示すブロック図である。
【図１６】変形例に係る光ディスク装置の構成を示すブロック図である。
【図１７】変形例に係る光ディスク装置の構成を示すブロック図である。
【図１８】実施形態３における信号品質の判定処理を示すフローチャートである。
【符号の説明】
【０１１５】
１０１    光ディスク
１０２    ディスク駆動部
１０３    ピックアップ
１０４    再生信号処理部
１０５    レーザ制御部
１０６    駆動部
１０７    アクチュエータ制御部
１０８    ＲＦ信号２値化部
１０９    エラー訂正部
１１０    エラー数計数部
１１１    エラー数変換部
１１２    信号品質判定部
１１３    ドライブコントロール部
１１４    モータ制御部
１１５    短記録マーク検出部
１１６    短記録マーク計数部
１２１    エラー数変換部
１２２    信号品質判定部
１２３    ドライブコントロール部
１２４    速度対応切替部
１３１    エラー数変換部
１３２    信号品質判定部
１３３    ドライブコントロール部
１３４    短記録マークレベル判別部
１３５    短記録マーク数補正部
１３６    速度対応切替部
１４１    セレクタ
１４２    セレクタ
１４３    速度対応切替部
１４４    ドライブコントロール部
１５１    隣接セクタ比較部
１５２    メモリ部
１５５    ＲＦ信号エンベロープ検出部
１５６    信号マスク部
【図１】
2007066421.tif 000003
【図２】
2007066421.tif 000004
【図３】
2007066421.tif 000005
【図４】
2007066421.tif 000006
【図５】
2007066421.tif 000007
【図６】
2007066421.tif 000008
【図７】
2007066421.tif 000009
【図８】
2007066421.tif 000010
【図９】
2007066421.tif 000011
【図１０】
2007066421.tif 000012
【図１１】
2007066421.tif 000013
【図１２】
2007066421.tif 000014
【図１３】
2007066421.tif 000015
【図１４】
2007066421.tif 000016
【図１５】
2007066421.tif 000017
【図１６】
2007066421.tif 000018
【図１７】
2007066421.tif 000019
【図１８】
2007066421.tif 000020